(57)【特許請求の範囲】
【請求項１】
少なくともほぼ矩形状のベース面と、該ベース面の横方向の一方に連接する側面と、該側面に連接する上カバー面と、前記ベース面の横方向の他方に連接する側面と、該側面に連接する下カバー面とからなる一枚のブランクを組み立て、両側面が蛇腹状である収納ケースであって、
前記下カバー面の一部に補強片を設け、あらかじめ前記下カバー面を折り返すとともに、前記補強片の裏面の一部を前記ベース面に接着し、かつ前記上カバー面を折り返して前記下カバー面と貼り合わせて折り畳んだ状態とし、内容物の充填時に、起こして、両側面の蛇腹を形成すると同時に、前記補強片をコの字形に折り曲げて補強部を形成したことを特徴とする収納ケース。
【請求項２】
前記補強片を縦方向の折れ線で４部分に分け、前記補強片の４部分の中の先端部分と前記ベース面とを接着したことを特徴とする請求項１に記載する収納ケース。
【請求項３】
前記上カバー面の上辺に凹部を設け、前記下カバー面の上側辺を切り欠けとして内容物を取り出しやすくしたことを特徴とする請求項１又は２に記載する収納ケース。
【請求項４】
前記補強片を前記下カバー面の最下部に設けたことを特徴とする請求項１乃至３のいずれかに記載する収納ケース。
【発明の詳細な説明】
【０００１】
【発明の属する技術分野】
本発明は、収納ケースに関するもので、さらに、詳細には、両側面が蛇腹状である偏平状の収納ケースに関する。
【０００２】
【従来の技術】
従来、板状の内容物、例えばコンパクトディスク（ＣＤ）などを収納する偏平状の収納ケースとしては、通常の板紙からなる偏平状の収納ケースあるいはプラスチック製のケースが多く使用されている。そして、板紙からなる収納ケースの場合、両側面を蛇腹状としている形態のものも発明されている。
【０００３】
【発明が解決しようとする課題】
しかしながら、上記の両側面を蛇腹状としている形態の偏平状の収納ケースの場合、潰れやすく、また、内容物が中で移動しやすく、破損、傷つきの危険性があることが問題であった。また、通常のサック貼り工程での製造、あるいは内容物の充填包装ラインでの包装機適性の点にも問題があった。
【０００４】
本発明は、上記のような事情に鑑みてなされたものであり、その目的とするところは、一枚の板紙のブランクから構成された収納ケースであって、組み立てが一般的なサック貼りの工程で量産が可能で、内容物の充填も自動化包装に対応ができ、偏平状でありながら潰れにくく、内容物を中で保持する機能を持ち、軽量であり、そして使用後の廃棄処理が簡便である収納ケースを提供することにある。
【０００５】
【課題を解決するための手段】
上記のような課題を解決すべく検討した結果、本発明は、少なくともほぼ矩形状のベース面と、該ベース面の横方向の一方に連接する側面と、該側面に連接する上カバー面と、前記ベース面の横方向の他方に連接する側面と、該側面に連接する下カバー面とからなる一枚のブランクを組み立て、両側面が蛇腹状である収納ケースであって、前記下カバー面の一部に補強片を設け、あらかじめ前記下カバー面を折り返すとともに、前記補強片の裏面の一部を前記ベース面に接着し、かつ前記上カバー面を折り返して前記下カバー面と貼り合わせて折り畳んだ状態とし、内容物の充填時に、起こして、両側面の蛇腹を形成すると同時に、前記補強片をコの字形に折り曲げて補強部を形成したことを特徴とする収納ケースである。
具体的には、前記補強片を縦方向の折れ線で４部分に分け、前記補強片の４部分の中の先端部分と前記ベース面とを接着したことを特徴とする。
また、前記上カバー面の上辺に凹部を設け、前記下カバー面の上側辺を切り欠けとして内容物を取り出しやすくしたこと、前記補強片を前記下カバー面の最下部に設けたことを特徴とする。
【０００６】
本発明によれば、一枚の板紙のブランクから構成された収納ケースであって、組み立てが一般的なサック貼りの工程で量産が可能で、ＣＤなどの板状の内容物の充填においても自動化包装に対応ができ、偏平状でありながら潰れにくく、内容物を中で保持する機能を持ち、軽量であり、そして使用後の廃棄処理が簡便である収納ケースを得ることができる。
【０００７】
【発明の実施の形態】
以下に、図面を参照しながら、本発明について、詳しく説明する。
【０００８】
図１は本発明の収納ケースの一実施例を示す斜視図である。この収納ケース１では、ケース中央部のベース面１１を中心に、上下での上蓋面１３、下蓋面１５、および左右での上カバー面１７、下カバー面１９で包むようにして組み立てられ、対向する両側面を蛇腹状としている。本実施例においては、蛇腹を１段にしているが、蛇腹の段数は複数にすることもできる。また、ベース面１１の中央部分に、下カバー面１９の一部に設けた補強片２０により、補強部２を形成している。
【０００９】
本実施例の収納ケース１は、図２に示すような形状の１枚のブランク１０を組み立てることにより形成される。ここで、ブランク１０に使用される材料は、主に板紙であり、組み立てた状態で内容物を保護できるような適度な剛性を備えている必要があり、厚みが０．２〜１．０ｍｍの範囲であることが好ましい。
また、好適な板紙の種類としては、コートボール、マニラボール（アイボリー、カード紙など）などがあげられる。
【００１０】
ブランク１０では、図２に示すように、中央の部分を、矩形状のベース面１１とし、そのベース面部１１の上縁には、折れ線ａを介して上面１２を連接し、上面１２には、折れ線ｂを介して上蓋面１３を連接している。ベース面１１の下縁には、折れ線ｃを介して下面１４を連接し、下面１４には、折れ線ｄを介して下蓋面１５を連接している。また、ベース面１１の左右の一方の縁には、折れ線ｅを介して側面１６を連接し、側面１６の中央には折れ線ｅ´を設け、そして、折れ線ｆを介して上カバー面１７を連接している。ベース面１１のもう一方の縁には、折れ線ｇを介して側面１８を連接し、側面１８の中央には折れ線ｇ´を設け、そして、折れ線ｈを介して下カバー面１９を連接している。この下カバー面１９の一部を補強片２０としている。
【００１１】
この補強片２０の形は、四辺形とし、折れ線ｈ側の一辺を折れ線ｉとして、下カバー面１９と連接している。ただし、本実施例の収納ケース１では、補強片２０を下カバー面１９の最下部に設けており、上辺側と外端側の二辺を切れ込み線としている。図２−ａに示すように、上辺側と外端側と下辺側の三辺は切れ込み線としてもよく、図２−ｂに示すように、補強片２０を下カバー面１９の最下部でかつ外端部に設けた場合には、上辺側の一辺を切れ込み線とする。なお、切れ込み線では、サック貼りでの加工上の適性をよくするため、切れ線の一部を完全に切らないツナギを数カ所設けておくことがよい。この補強片２０には、縦に折れ線ｊ、ｋ、ｌを設けている。この折れ線ｊ、ｋ、ｌにより補強片２０は、補強片２０ａ、補強片２０ｂ、補強片２０ｃ、補強片２０ｄの４つの部分に分けている。
【００１２】
また、上カバー面１５の下縁には、下面（上カバー面）２１を連接してもよい。この場合、下蓋面１５を設けずに、下面１４と下面（上カバー面）２１とを貼り合わせて組み立てることもできる。
【００１３】
また、補強片２０は下カバー面１９の最下部に設けることにより、内容物が板状である場合には、内容物の下端を保持する役目を果たすことになる。なお、補強片２０の長さは、２０ｍｍ以上に設定すると、サック貼りの工程で加工が容易となる。また、この下カバー面１９の巾は、ベース面１１の巾の略１／２とする。補強片２０がベース面１１の中央に近い方が、補強の効果が高くなる。また、上面１２、下面１４、補強片２０ｂの巾は、この収納ケース１の高さとなり、同一寸法とする。
【００１４】
図３において、この収納ケース１の組み立て方法の一例について説明する。この収納ケース１の組み立ては、あらかじめ、下カバー面１９の一部に設けられた補強片２０の一部をベース面１１に接着し、そして上カバー面１７を下カバー面１９に重ね合わせ、下カバー面１９と上カバー面１７とが接着された折り畳まれた状態とする。このことによって、内容物を収納する際の作業が非常に簡単となる。
【００１５】
まず、材料の板紙を図２に示す形状に打ち抜き、同時に各折れ線となる罫線の加工をしたブランク１０を製造する。
【００１６】
つぎに、図３−ａに示すように、そのブランク１０の下カバー面１９を折れ線ｈで内側に折り返し、図３−ｂに示すように、下カバー面１９の一部に設けられた補強片２０の一部である補強片２０ｃの裏面とベース面１１とを接着する。そして、側面１６を折れ線ｅで内側に折り返し、図３−ｃに示すように、上カバー面１７を下カバー面１９とを接着する。上カバー面１７と下カバー面１９との接着は、下カバー面１９の補強片２０以外の部分と上カバー面１７とを接着する。この折り畳まれた状態で保管、輸送などが行われる。この下カバー面１９の折り返し作業、補強片２０のベース面１１との接着作業、そして、上カバー面１７の折り返し作業などは、従来行われているサック貼り加工工程で行うことができる。このことが、この収納ケース１の大きな特徴となっている。
【００１７】
なお、折り畳む方法としては、側面１８を折れ線ｇで内側に折り返し、そして、上カバー面１７を折れ線ｆで内側に折り返し、上カバー面１７と下カバー面１９とを接着する方法もある。
【００１８】
つづいて、内容物を収納する時には、充填包装ラインにおいて、折り畳まれた状態の収納ケース１を起こす。この時には、図３−ｄの概略断面図に示すように、補強辺２０は折れ線ｌで折り曲げられる。つぎの段階で、側面１６の中央の折れ線ｅ、側面１８の中央の折れ線ｇを内側に折り込み、蛇腹状とすると同時二、補強片２０は、図３−ｅに示すように、下カバー面１９の内側に折り込んだ状態で補強片２０ａ、補強片２０ｂ、そして補強片２０ｃとがコの字形の補強部２を形成するようになる。補強片２０が折り込まれる方向が、図３−ｆに示すように、外側となってもよい。この形状にすることによって、上からの圧力に対して、潰れないための補強となっている。この蛇腹を折り畳んで形成すると同時に、補強片２０を折り込む組み立て方法は、充填包装ラインでの機械適性を考慮した一連の動きとなっている点で優れた方法である。この点が、収納ケース１の大きな特徴となっている。
【００１９】
板状の内容物を収納する場合には、起こした収納ケース１の蛇腹の対向する谷部に、図４−ａに示すように、ＣＤなどの板状の内容物が挿入し、山部の間で挟持する。また、内容物の下端は、図４−ｂ、ｃに示すように、補強部２で保持する。ベース面１１に固定された補強片２０が内容物を保持し、中で移動しないようストッパーの役目をして、内容物の損傷を防止する。従って、この観点から補強片２０を固定する位置は、ベース面１１の中央の最下部が好ましい。
【００２０】
さらに、中に内容物を収納した後、上下の蓋を折り返すが、下面１４を折れ線ｃで内側に直角に折り曲げ、そして、下蓋面１５を上カバー面１７の上に折れ線ｄで内側に直角に折り曲げる。一方、上面１２を折れ線ａで内側に直角に折り曲げ、そして、上カバー面１７の上に折れ線ｂで内側に直角に折り曲げ、下蓋面１５と重ね合わせる。この重ね合わせた部分では、接着剤で接着することもできる。また、一方の蓋面に差し込み口を設け、他方にこの差し込み口に差し込む差し込み片を設けて、両面を係止することもできる。
【００２１】
つぎに、図５は本発明の収納ケースの別の実施例である収納ケース１Ａを示す斜視図であり、図６はその収納ケース１Ａを構成する板紙からなるブランク１０Ａを示す展開図である。図１〜２に示す収納ケース１と同一または同様な部分には同一符号を付けて示している。
【００２２】
本実施例の収納ケース１Ａは、図６に示すような形状の１枚のブランク１０Ａを組み立てることにより形成される。その形状は若干異なっており、主にＣＤなどの板状の内容物を収納することから、上カバー面１７に収納された内容物を取り出し易いように、凹部２２を設けている。そして、この上カバー面１７に凹部２２を設けたことに伴って、下カバー面１９の形状も、上部では、板状の内容物を取り出し易いように上カバー面１７に設けた凹部２２に合わせて、図のように、切り欠けの形状としている。
【００２３】
【発明の効果】
本発明によれば、一枚の板紙のブランクから構成された収納ケースであって、組み立てが一般的なサック貼りの工程で量産が可能で、ＣＤなどの板状の内容物の充填においても自動化包装に対応ができ、偏平状でありながら潰れにくく、内容物を中で保持する機能を持ち、軽量であり、そして使用後の廃棄処理が簡便である収納ケースを得ることができる。
【図面の簡単な説明】
【図１】本発明の収納ケースの一実施例を示す斜視図である。
【図２】本発明の収納ケースの一実施例のブランクを示す展開図である。
【図３】本発明の収納ケースの一実施例を組み立てる方法を説明する図である。
【図４】本発明の収納ケースの一実施例を組み立て内容物を収納した状態を示す図である。
【図５】本発明の収納ケースの別の実施例を示す斜視図である。
【図６】本発明の収納ケースの別の実施例のブランクを示す展開図である。
【符号の説明】
１  収納ケース
１Ａ収納ケース
２  補強部
３  内容物
１０  ブランク
１０Ａブランク
１１  ベース面
１２  上面
１３  上蓋面
１４  下面
１５  下蓋面
１６  側面
１７  上カバー面
１８  側面
１９  下カバー面
２０  補強片
２０ａ補強片の一部
２０ｂ補強片の一部
２０ｃ補強片の一部
２０ｄ補強片の一部
２１  下面（上カバー面）
２２  凹部
ａ〜ｋ折れ線
ｅ´  折れ線（蛇腹用）
ｇ´  折れ線（蛇腹用）
【図１】
0004240594.tif 000002
【図２】
0004240594.tif 000003
【図３】
0004240594.tif 000004
【図４】
0004240594.tif 000005
【図５】
0004240594.tif 000006
【図６】
0004240594.tif 000007